(57)【要約】【課題】記録時のユーザーの感情を他のユーザーが体験できるようにする。【解決手段】本開示に係る情報処理装置は、少なくとも１つの生体情報が関連づけられているコンテンツを再生させるユーザの操作を促す表示を表示部において表示させる表示制御部と、前記ユーザの操作に応じて、前記生体情報と前記コンテンツを格納する記憶部から取得して、前記生体情報及び前記コンテンツを再生させる再生制御部と、を備える。この構成により、コンテンツ記録時のユーザーの感情を他のユーザーが追体験することが可能となる。【選択図】図１
2017211862.tif 000002
【特許請求の範囲】
【請求項１】
少なくとも１つの生体情報が関連づけられているコンテンツを再生させるユーザの操作を促す表示を表示部において表示させる表示制御部と、
前記ユーザの操作に応じて、前記生体情報と前記コンテンツを格納する記憶部から取得して、前記生体情報及び前記コンテンツを再生させる再生制御部と  、
を備える、情報処理装置。
【請求項２】
前記生体情報と関連付けられる前記コンテンツは、ソーシャルネットワークサービスで管理される管理部から取得される、請求項１に記載の情報処理装置。
【請求項３】
前記表示制御部は、前記ソーシャルネットワークサービスで、前記ユーザの操作を促す表示を表示部において表示させる、請求項２に記載の情報処理装置。
【請求項４】
前記表示制御部は、前記コンテンツに複数の生体情報が関連付けられているときは、前記生体情報の数に応じた複数の前記ユーザの操作を促す表示を前記表示部に表示させる、請求項１に記載の情報処理装置。
【請求項５】
前記表示制御部は、前記生体情報が関連付けられている前記コンテンツのみを再生するための前記ユーザの操作を促す表示を、前記表示部に表示させる、請求項１に記載の情報処理装置。
【請求項６】
前記生体情報とコンテンツ情報とから生体情報付きの前記コンテンツを生成する生体情報付きコンテンツ生成部を備える、請求項１に記載の情報処理装置。
【請求項７】
前記コンテンツ情報は、画像情報、音声情報、及び行動情報の少なくともいずれかを含む、請求項６に記載の情報処理装置。
【請求項８】
前記生体情報を生体情報取得対象者から検出する検出装置から、前記生体情報を取得する生体情報取得部を備える、請求項１に記載の情報処理装置。
【請求項９】
前記コンテンツ情報を取得するコンテンツ情報取得部と、
前記生体情報と前記コンテンツ情報を時間的に同期させる同期処理部を備える、請求項６に記載の情報処理装置。
【請求項１０】
前記再生制御部は、前記生体情報に基づく体験のための動作を行う体験装置に前記コンテンツを再生させる、請求項１に記載の情報処理装置。
【請求項１１】
前記ユーザの操作は、少なくとも、前記表示制御部に表示される画像への操作、前記ユーザの音声による操作、前記ユーザのジェスチャーによる操作のいずれか１つである、請求項１に記載の情報処理装置。
【請求項１２】
前記体験装置が有する複数の再生機器のうち、体験のために使用する前記再生機器を選択する再生機器選択部と、
選択された前記再生機器に基づいて体験方法を決定する体験方法決定部と、
を備える、請求項１０に記載の情報処理装置。
【請求項１３】
少なくとも前記再生機器の使用方法又は前記再生機器の装着位置を含む前記体験方法を提示する体験方法提示部を備える、請求項１２に記載の情報処理装置。
【請求項１４】
前記体験方法決定部は、前記生体情報に基づく体験を行う生体情報体験者からの指示に基づいて前記体験方法を決定する、請求項１２に記載の情報処理装置。
【請求項１５】
前記検出装置は、心拍センサ、血圧センサ、発汗センサ及び体温センサの少なくとも１つを含む、請求項８に記載の情報処理装置。
【請求項１６】
前記再生機器は、ヘッドマウントディスプレイ、スピーカ、振動発生器、触覚デバイス、加湿器、発熱装置、匂いガス発生器及び加圧装置の少なくとも１つを含む、請求項１２に記載の情報処理装置。
【請求項１７】
少なくとも１つの生体情報が関連づけられているコンテンツを再生させるユーザの操作を促す表示を表示部において表示させることと、
前記ユーザの操作に応じて、前記生体情報と前記コンテンツを格納する記憶部から取得して、前記生体情報及び前記コンテンツを再生させることと  、
【請求項１８】
少なくとも１つの生体情報が関連づけられているコンテンツを再生させるユーザの操作を促す表示を表示部において表示させる手段、
前記ユーザの操作に応じて、前記生体情報と前記コンテンツを格納する記憶部から取得して、前記生体情報及び前記コンテンツを再生させる手段、
としてコンピュータを機能させるためのプログラム。
【発明の詳細な説明】
【技術分野】
【０００１】
本開示は、情報処理装置、情報処理方法及びプログラムに関する。
【背景技術】
【０００２】
従来、例えば下記の特許文献１には、ユーザー端末で現在位置が計測または指示され、サーバに送信されたとき、サーバは、その現在位置に対して一定の距離内の位置で撮影された写真の画像情報、撮影位置を示す情報、および撮影時の撮影者の生体情報を当該ユーザー端末に送信することが記載されている。
【先行技術文献】
【特許文献】
【０００３】
【特許文献１】特開２００９−１８７２３３号公報
【発明の概要】
【発明が解決しようとする課題】
【０００４】
近時では、映像や音声、行動情報を記録し公開するサービスが普及しているが、記録時のユーザーの感情を、当人の説明や解説なしで簡単に共有することはできない。
【０００５】
上記特許文献１に記載された技術では、画像、音声、位置情報などのコンテンツ情報と、生体情報が組み合わされた情報がユーザー毎に一覧表示されるものではないため、利便性が低下する問題が生じていた。具体的には、ユーザー端末の現在位置と合致する範囲で撮影された画像情報や生体情報がユーザー端末に送信されるため、ユーザー端末で受け取ることが可能な情報に制約が生じ、ユーザーは当該位置に到達しなければ所望の画像情報や生体情報を取得できず、利便性が低下する問題があった。
【０００６】
そこで、コンテンツ記録時のユーザーの感情を他のユーザーが体験できるようにすることが望まれていた。
【課題を解決するための手段】
【０００７】
本開示によれば、少なくとも１つの生体情報が関連づけられているコンテンツを再生させるユーザの操作を促す表示を表示部において表示させる表示制御部と、前記ユーザの操作に応じて、前記生体情報と前記コンテンツを格納する記憶部から取得して、前記生体情報及び前記コンテンツを再生させる再生制御部と  を備える、情報処理装置が提供される。
【０００８】
また、本開示によれば、少なくとも１つの生体情報が関連づけられているコンテンツを再生させるユーザの操作を促す表示を表示部において表示させることと、前記ユーザの操作に応じて、前記生体情報と前記コンテンツを格納する記憶部から取得して、前記生体情報及び前記コンテンツを再生させることと、を備える、情報処理方法が提供される。
【０００９】
また、本開示によれば、少なくとも１つの生体情報が関連づけられているコンテンツを再生させるユーザの操作を促す表示を表示部において表示させる手段、
前記ユーザの操作に応じて、前記生体情報と前記コンテンツを格納する記憶部から取得して、前記生体情報及び前記コンテンツを再生させる手段、としてコンピュータを機能させるためのプログラムが提供される。
【発明の効果】
【００１０】
以上説明したように本開示によれば、コンテンツ記録時のユーザーの感情を他のユーザーが体験することが可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係るシステムの概略構成を示す模式図である。
【図２】サーバの構成を示す模式図である。
【図３】生体情報と画像、音声、行動（動き）の情報を取得し、データベースに記録する様子を示す模式図である。
【図４】ソーシャルネットワークサービスのユーザーインターフェース（ＵＩ）を示す模式図である。
【図５】図４に示したタイムライン上での表示例に加え、生体情報付きコンテンツを地図上に表示した表示例と、ユーザーが地図上の該当箇所に来た際にＡＲ表示する表示例を示す模式図である。
【図６】追体験装置として、ＨＭＤ、スピーカ、振動発生器、加湿器が選択された場合を示す模式図である。
【図７】ソーシャルネットワークのタイムライン上にアイドル歌手の生体情報付きコンテンツを公開した例を示す模式図である。
【図８】追体験方法提示部による追体験法提示(インストラクション)の例を示す模式図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．システムの構成例
２．サーバの構成例
３．生体情報付きコンテンツによる追体験の具体例
【００１４】
１．システムの構成例
先ず、図１を参照して、本開示の一実施形態に係るシステム１０００の概略構成について説明する。本実施形態に係るシステム１０００は、映像や音声、行動情報と合わせて記録された生体情報を、ソーシャルネットワークサービス（ＳＮＳ）などを利用してインターネット上でコンテンツとして公開する。そして、他のユーザーがそのコンテンツを選択すると、コンテンツ再生と合わせて生体情報を使って記録時の状況を追体験させる。
【００１５】
具体的に、生体情報（心拍、脈波、発汗など）をセンサデバイスで取得し、データベースに記録する。生体情報は、テキスト、画像、音声などのコンテンツ情報と合わせて記録され、ソーシャルネットワークサービス（ＳＮＳ）などを介して共有される。他のユーザーは、共有された生体情報が紐づいたテキスト、画像、音声などのコンテンツ情報を選択する。また、ユーザーには、生体情報を追体験するための追体験装置が装着される。ユーザーが、生体情報が紐付けられたコンテンツ情報を選択すると、追体験装置が動作し、生体情報のパターンが追体験装置で再現される。これにより、ユーザーは、緊張状態や興奮状態をコンテンツ情報とともに追体験できる。
【００１６】
図１に示すように、本実施形態に係るシステム１０００は、記録装置（検出装置）１００、サーバ２００、追体験装置３００を有して構成される。記録装置１００とサーバ２００は、インターネットなどのネットワークを介して通信可能に接続されている。同様に、サーバ２００と追体験装置３００は、インターネットなどのネットワークを介して通信可能に接続されている。なお、記録装置１００とサーバ２００、またはサーバ２００と追体験装置３００は、有線又は無線により通信可能に接続されていれば、その手法は限定されるものではない。
【００１７】
記録装置１００は、生体情報を取得する対象となる人物（以下、生体情報取得対象者とも称する）に装着され、その人物の生体情報を含む各種情報を取得する。このため、記録装置１００は、心拍センサ１０２、血圧センサ１０４、発汗センサ１０６、体温センサ１０８、カメラ１１０、モーションセンサ１１２、マイク１１４、位置センサ１１６を含む。記録装置１００が取得した情報は、サーバ２００に送られて記録される。モーションセンサ１１２は、加速度センサ、ジャイロセンサ、振動センサ等を含み、生体情報取得対象者の動きに関する行動情報を取得する。位置センサ１１６は、ＧＰＳ、Ｗｉ−Ｆｉ等の手法により位置検出を行う。
【００１８】
追体験装置３００は、生体情報を含むコンテンツ（生体情報付きコンテンツ）を追体験するユーザー（以下、生体情報追体験者とも称する）に装着され、そのユーザーに生体情報付きコンテンツを追体験させる装置である。追体験装置３００は、ＨＭＤ（Ｈｅａｄ  Ｍｏｕｎｔｅｄ  Ｄｉｓｐｌａｙ）３０２、スピーカ３０４、振動発生器３０６、触覚デバイス３０８、加湿器３１０、発熱装置３１２を含む。
【００１９】
２．サーバの構成例
図２は、サーバ２００の構成を示す模式図である。サーバ２００は、生体情報取得部２０２、生体情報記録部２０４、コンテンツ情報取得部２０６、コンテンツ情報記録部２０８、同期処理部２１０、生体情報付きコンテンツ生成部２１２、生体情報付きコンテンツ選択部２１８、再生機器選択部２２０、追体験方法決定部２２２、追体験方法選択部２２３、追体験方法提示部２２４、追体験配信部（再生制御部）２２６、データベース２２８，２３０、ソーシャルネットワークサービス部２４０、を有して構成される。なお、図２に示すサーバ２００の各構成要素は、ハードウェア、又はＣＰＵなどの中央演算処理装置とこれを機能させるためのプログラム（ソフトウェア）から構成することができる。サーバ２００の各構成要素をＣＰＵなどの中央演算処理装置とこれを機能させるためのプログラムから構成した場合、そのプログラムは、サーバ２００が備えるメモリなどの記録媒体に格納されることができる。
【００２０】
生体情報取得部２０２は、記録装置１００の心拍センサ１０２、血圧センサ１０４、発汗センサ１０６、体温センサ１０８等のセンサ（生体情報センサ）が検出した生体情報（心拍、脈波、発汗など）を取得する。生体情報記録部２０４は、取得された生体情報をデータベース２３０に記録する。
【００２１】
コンテンツ情報取得部２０６は、生体情報と関連するテキスト情報、画像情報、音声情報、行動情報などのコンテンツ情報を取得する。コンテンツ情報記録部２０８は、取得されたコンテンツ情報をデータベース２２８に記録する。画像情報については、記録装置１００のカメラ１１０によって、生体情報取得対象者に関連する画像情報を取得することができる。また、音声情報については、記録装置１００のマイク１１４によって、生体情報取得対象者に関連する音声情報を取得することができる。行動情報については、記録装置１００のモーションセンサ１１２、位置センサ１１６によって、生体情報取得対象者に関連する行動情報を取得することができる。
【００２２】
一方、コンテンツ情報取得部２０６は、記録装置１００以外の装置からコンテンツ情報を取得することができる。例えば、生体情報取得対象者の画像を生体情報取得対象者から離れた外部カメラで撮影した場合、コンテンツ情報取得部２０６は、外部カメラから画像情報を取得することができる。
【００２３】
同期処理部２１０は、生体情報とコンテンツ情報を時間的に同期させる処理を行う。生体情報付きコンテンツ生成部２１２は、選択された条件に応じて、時間同期された生体情報とコンテンツ情報を合体し、生体情報付きコンテンツを生成する。生体情報とコンテンツ情報の組み合わせは、ユーザーが追体験方法選択部２２８へ入力することで選択することができる。例えば、生体情報として複数が取得されている場合、その中の１又は複数の生体情報をコンテンツ情報と組み合わせるかについて、ユーザーは自由に選択できる。また、追体験装置３００の機能に応じて追体験方法が定まる場合は、その追体験方法に適した生体情報とコンテンツ情報の組み合わせが選定され、生体情報付きコンテンツ情報が生成される。このため、生体情報付きコンテンツ生成部２１２は、追体験装置３００から、追体験装置３００の機能に関する情報を取得する。また、生体情報付きコンテンツ生成部２１２は、生体情報の信号処理、テキスト、音声画像情報のコンテンツ解析技術によって、ダイジェスト編集を行うことができる。
【００２４】
ソーシャルネットワークサービス部２４０は、ソーシャルネットワーク管理部（ＳＮＳ管理部）２４２、ソーシャルネットワークユーザーインターフェース部（ＳＮＳ−ＵＩ部、表示制御部）２４４を有している。なお、ソーシャルネットワークサービス部２４０は、サーバ２００とは別のサーバ（ソーシャルネットワークサーバ）に設けられていても良い。この場合、サーバ２００とソーシャルネットワークサーバが連携することで、同様の処理を行うことができる。
【００２５】
ＳＮＳ−ＵＩ部２４４は、ユーザーがソーシャルネットワークサービスにアクセスするためのユーザーインターフェースである。ユーザーインターフェースに関する情報は、生体情報取得対象者の端末、生体情報追体験者の端末に提供されるが、記録装置１００、追体験装置３００に提供されても良い。本実施形態では、一例として、生体情報取得対象者が記録装置１００に提供されたユーザーインターフェースを操作してソーシャルネットワークサービスにアクセスし、生体情報追体験者が追体験装置３００に提供されたユーザーインターフェースを操作してソーシャルネットワークサービスにアクセスするものとする。このため、記録装置１００はユーザーインターフェース（ＵＩ）部１１８を備えており、追体験装置３００はユーザーインターフェース（ＵＩ）部３１４を備えている。ＵＩ部１１８，３１４は、一例として、液晶ディスプレイとタッチセンサからなるタッチパネルから構成される。なお、記録装置１００又は追体験装置３００とユーザーインターフェースが提供される端末は別個のものであっても良く、記録装置１００又は追体験装置３００と当該端末が通信可能に構成されていても良い。
【００２６】
ＳＮＳ−ＵＩ部２４４のユーザーインターフェース（ＵＩ）上では、ユーザー（生体情報取得対象者）が、ＳＮＳのユーザー管理、公開範囲の設定などの条件を設定する。これらの条件に従い、生体情報付きコンテンツに関する情報(名前、情報取得時、サムネイル、その他の情報)がソーシャルネットワークサービス上で公開される。そして、公開された情報に基づいて、ユーザー（生体情報追体験者）が後述する「追体験ボタン」を選択することにより、その旨の情報がＵＩ部３１４からＳＮＳ−ＵＩ部２４４に送られ、更にＳＮＳ−ＵＩ部２４４から生体情報付きコンテンツ選択部２１８に送られることで、生体情報付きコンテンツ選択部２１８が、ユーザーが指定した生体情報付きコンテンツを選択する。
【００２７】
再生機器選択部２２０は、生体情報を追体験するための再生機器（追体験装置３００）の条件を選択する。この条件は、追体験装置３００が備える各再生機器のうちのいずれを使用するかを指定する条件を含む。また、この条件は、ＳＮＳ−ＵＩ部２４４を介してユーザーが選択してもよいし、ユーザーと追体験装置３００をＳＮＳ管理部２４２で条件を管理して、ユーザーの選択した条件等に応じて、またはＳＮＳ管理部２４２が自動的に追体験装置３００を選択してもよい。また、再生機器選択部２２０は、生体情報付きコンテンツに含まれる生体情報に基づいて、追体験装置３００の条件を選択しても良い。
【００２８】
追体験方法決定部２２２は、生体情報付きコンテンツと追体験装置３００の条件が決定されると、それらに関連付けられた情報から、追体験するための再生機器の装着や設定方法などの追体験方法を決定する。例えば、追体験方法決定部２２２は、追体験装置３００に含まれる再生機器の種類に基づいて前記追体験方法を決定する。また、追体験方法決定部２２２は、追体験を行うユーザ（生体情報追体験者）からの指示に基づいて前記追体験方法を決定する。追体験方法提示部２２４は、追体験するユーザーに対して、テキスト、画像、音声などの方法で追体験方法を提示する。追体験方法提示部２２４が提示した情報は、追体験装置３００のＵＩ部３１４に送信され、画面上に表示される。ユーザーは、表示された追体験方法を参照することで、生体情報を追体験するための再生機器の装着方法、装着位置、設定方法などを認識することができ、再生機器を適正な状態で装着し、使用することができる。
【００２９】
追体験配信部２２６は、生体情報に関する再生信号を追体験装置３００に送り、生体情報に関する再生信号に基づいた追体験動作を追体験装置３００に実行させる。追体験装置３００は、追体験信号に基づいて動作する。これにより、ユーザーは、追体験装置３００を介して、緊張状態や興奮状態を追体験することができる。
【００３０】
また、追体験配信部２２６は、生体情報とともに、コンテンツ情報に関する再生信号を追体験装置３００に送り、コンテンツ情報に関する再生信号に基づいた追体験動作を追体験装置３００に実行させる。追体験装置３００のコンテンツ情報再生部３０１は、コンテンツ情報に関する再生信号に基づいてコンテンツ情報を再生する。これにより、ユーザーは、追体験装置３００を介して、コンテンツ情報を視聴することができる。
【００３１】
以上の構成により、生体情報（心拍、脈波、発汗など）を記録装置１００で取得して記録し、記録された生体情報をテキスト・画像・音声・行動などを示すコンテンツ情報と合わせてソーシャルネットワークサービス上で共有することができる。他のユーザー（生体情報追体験者）は、共有された生体情報が紐づいた生体情報付きコンテンツを選択することで、そのコンテンツに紐づいた生体情報のパターンが再生機器で再現されるため、緊張状態や興奮状態を追体験できる。
【００３２】
３．生体情報付きコンテンツによる追体験の具体例
以下では、子ども（生体情報取得対象者）４００の運動会の様子をユーザー（家族：例えば祖父）が追体験する場合を例に挙げて説明する。図３は、生体情報と画像、音声、行動（動き）の情報を取得し、データベース（記憶部）２２８，２３０に記録する様子を示す模式図である。先ず、図３に示すように、子ども４００が記録装置１００を身体に装着して、運動会などのイベント中の生体情報（心拍、発汗、血圧、体温など）と、画像、音声、行動（動き）などのコンテンツ情報を記録する。行動（動き）の情報を取得する際には、ＧＰＳ、ＷｉＦＩ、ＵＷＢなどの測位システムとの連携により取得しても良い。また、画像、音声の情報を取得する際には、設置型の外部カメラ４０２や外部マイク４０４などと連携してもよい。生体情報、コンテンツ情報を取得するため、生体情報取得対象者に装着されるＨＭＤや時計型デバイスなどのウェアラブルデバイスに各種生体情報センサ、カメラ、マイク、モーションセンサ、測位センサ等が搭載されていても良い。
【００３３】
記録装置１００で取得された生体情報、コンテンツ情報は、サーバ３００に送られて、生体情報取得部２０２、コンテンツ情報取得部２０６にて取得される。そして、取得された生体情報と、画像、音声、行動（動き）、位置情報などのコンテンツ情報は、同期処理部２１０によって時間的に同期される。生体情報と、画像情報、音声情報、行動情報（位置情報）などのコンテンツ情報とから、生体情報付きコンテンツが生成され、生体情報とコンテンツ情報は、データベース２２８，２３０に記録される。この際、コンテンツ情報と生体情報を紐付けした状態で、別々のデータベース２２８，２３０に記録しても良いし、生体情報とコンテンツ情報を合体した生体情報付きコンテンツを１つのデータベースにまとめて記録しても良い。コンテンツの内容に関するテキストデータなどのメタデータも生体情報付きコンテンツに合わせて保存する。
【００３４】
次に、記録された生体情報付きコンテンツを、ソーシャルネットワークサービス部２４０のＳＮＳ−ＵＩ部２４４が、ソーシャルネットワークサービス上に公開する。ソーシャルネットワークサービス部２４０のＳＮＳ管理部２４２は、ユーザーの指定に基づいて公開範囲を設定して公開する。遠隔に位置する人（例えば、子どもの祖父）が、追体験装置３００を身体に装着し、公開された生体情報付きコンテンツを選択して「体験ボタン」を押すと、追体験装置３００により生体情報信号に基づいて振動、湿度調整、発熱調整が再生されるとともに、生体情報と同期した映像、音声などのコンテンツ情報が再生される。なお、ジェスチャーや音声入力を検知することにより、ユーザが所定のジェスチャーや音声入力を行ったことをトリガーとして、「体験ボタン」が選択された場合と同様に生体情報、コンテンツ情報を再生することもできる。
【００３５】
図４は、ソーシャルネットワークサービスのユーザーインターフェース（ＵＩ）を示す模式図である。ユーザーによる公開指定に基づいて、コンテンツ情報と生体情報は、データベース２２８，２３０からソーシャルネットワークサービス部２４０へ供給される。
【００３６】
これにより、図４中の表示例５００に示すように、ソーシャルネットワークサービスの表示画面に生体情報付きコンテンツ５０２の情報が一覧表示される。具体的に、表示例５００は、記録装置１００と追体験装置３００のＵＩ部１１８，３１４に表示されることができる。図４に示す表示例５００は、ソーシャルネットワークサービス部２４０が表示情報を記録装置１００又は追体験装置３００に送信し、ＵＩ部１１８，３１４が表示情報に基づく表示を行うことで実現される。
【００３７】
一例として、生体情報付きコンテンツ５０２の情報は、ソーシャルネットワークサービスのタイムライン上に提供者のイベント単位で時系列に表示される。生体情報付きコンテンツ５０２とともに、体験ボタン５０４が表示される。
【００３８】
視聴者により生体情報付きコンテンツ５０２が選択され、体験ボタン５０４が押されると、追体験装置３００の種類に応じて生体情報付きコンテンツ５０２の記録データが再生される。図４に示すように、ユーザーが生体情報付きコンテンツ５０２ａを選択して体験ボタン５０４を押した場合は、画像（映像）情報、音声情報とともに生体情報に基づく各種の生体情報が追体験装置Ａにより再生される。また、ユーザーが生体情報付きコンテンツ５０２ｂを選択して体験ボタン５０４を押した場合は、音声情報とともに生体情報に基づく各種の生体情報が追体験装置Ｂにより再生されるが、画像情報は再生されない。また、コンテンツ５０２ｃを選択して体験ボタン５０４を押した場合は、追体験装置Ｃにより音声情報のみが再生される。このように、追体験装置３００の種類に応じて定められた情報を再生することもできる。
【００３９】
なお、図４に示すように、体験ボタン５０４とともに再生ボタン５０６が設けられているが、再生ボタン５０６を押した場合は、生体情報の追体験は行われず、テキスト、音声、画像などのコンテンツ情報のみがコンテンツ情報再生部３０１によって再生される。
【００４０】
追体験装置３００により生体情報が再生されると、例えば、ＨＭＤ３０２は、生体情報取得対象者である子ども４００に装着された記録装置１００のカメラ１１０が撮影した画像情報、外部カメラ４０２が撮影した画像情報に基づいて、画像（映像）を再生する。スピーカ３０４は、子ども４００に装着された記録装置１００のマイク１１４、又は外部マイク４０４が録音した音声情報に基づいて、音声を再生する。また、振動発生器３０６は、子ども４００に装着された記録装置１００の心拍センサ１０２が検出した心拍、鼓動に基づいて、振動を発生させる。加湿器３１０は、子ども４００に装着された記録装置１００の発汗センサ１０６が検出した発汗量に応じた湿度を発生させる。発熱装置３１２は、子ども４００に装着された記録装置１００の体温センサ１０８が検出した体温に応じて発熱する。これにより、生体情報追体験者である子ども４００の祖父は、子ども４００が体験した運動会における緊張状態や興奮状態を追体験できる。
【００４１】
生体情報付きコンテンツは、タイムライン上以外にも、例えば地図上、３Ｄ画像上に複数表示することができ、この場合も、上記と同様にユーザーが選択できる。この場合も、選択するユーザーの追体験装置３００の種類に応じて、再生できるコンテンツをフィルタリングして表示することができる。コンテンツに紐づいた体験ボタンを押ことで、選択されたコンテンツの生体情報に応じて自動的に追体験手法が選択されて再生される。図５は、図４に示したタイムライン上での表示例５００に加え、生体情報付きコンテンツ５０２を地図上に表示した表示例５５０と、ユーザーが地図上の該当箇所に来た際にＡＲ（Ａｕｇｍｅｎｔｅｄ  Ｒｅａｌｉｔｙ）表示する表示例５６０を示す模式図である。表示例５５０では、生体情報付きコンテンツ５０２ｄ，５０２ｅ，５０２ｆが取得された地図上の位置が明示され、生体情報付きコンテンツと地図上の位置が対応付けされた状態で表示が行われる。表示例５６０では、生体情報付きコンテンツ５０２ｇ，５０２ｈが取得された位置にユーザーが来ると、生体情報付きコンテンツ５０２ｇ，５０２ｈに関する情報がＡＲ表示される。
【００４２】
上述したように、追体験装置３００は様々な再生機器を含むことができるが、生体情報付きコンテンツの種類に応じて、追体験装置３００の中で使われる再生機器が異なる。追体験装置３００の中で、再生に使われる機器はユーザーに正しく装着される必要があり、一方、再生に使われない機器はユーザーが装着しなくても構わない。このため、記録内容(データ種類、記録時条件など)に応じて、追体験方法提示部２２４が、使用する追体験装置３００の装着位置や使用法を追体験装置３００に提示する。図６に示す例では、追体験装置３００として、ＨＭＤ３０２、スピーカ３０４、振動発生器３０６、加湿器３１０が選択され、ユーザーが「体験ボタン」を押すと、「ＨＭＤを頭部、ヘッドホン、首に加湿器、胸に振動発生器を装着してください」といったアナウンス５７０がＵＩ部３１４に表示される。ユーザーがこれらの装置を身体の指定位置に装着すると、生体情報付きコンテンツが再生される。
【００４３】
また、図６には示していないが、追体験装置３００には匂いガスの発生器や加圧装置が含まれていても良い。匂いガスの発生器は、直接環境を再現する場合は、例えば雨のにおい、海の匂いを発生させる。間接環境を再現する場合は、リラックスや不快を感じる匂いを発生させる。また、加圧装置は、例えばユーザーの胸に装着されることで、呼吸の負荷制御を再現する。更に、コンテキストをデフォルメ配信したり、薬物、物理、電気、光、音刺激、感情、バイタル付きで配信するようにしても良い。また、実際に呼吸や心拍を制御するのではなく、同期したと錯覚させる技術を適用可能であり、例えば、呼吸であれば空気を吹きかけるデバイス、心拍であれば振動を発生する装着型デバイスを用いることができる。
【００４４】
次に、図７に基づいて、アイドル歌手（生体情報取得対象者）の動作を追体験する場合を例に挙げて説明する。先ず、アイドル歌手が記録装置１００を装着して、ライブイベント中に生体情報（心拍、発汗、血圧、体温など）と、画像、音声、行動（動き）などのコンテンツ情報を記録する。生体情報の記録、生体情報付きコンテンツの生成は、上述した子ども４００の場合と同様である。
【００４５】
記録された生体情報付きコンテンツをソーシャルネットワークサービス上に公開範囲を設定して公開し、ユーザーが好きなコンテンツを選択して「体験ボタン」を押す。これにより、ユーザーが身に着けた追体験装置３００（ＨＭＤ３０２、スピーカ３０４、振動発生器３０６、触覚デバイス３０８、加湿器３１０、発熱装置３１２など）により生体情報信号に基づいて振動、湿度調整、発熱調整などが再生されるとともに、生体情報と同期した映像、音声などのコンテンツ情報が再生される。
【００４６】
図７は、ソーシャルネットワークのタイムライン上にアイドル歌手の生体情報付きコンテンツを公開した例を示している。この例では、体験ボタン５０４として、「体験Ａ」、「体験Ｂ」、「体験Ｃ」が表示され、体験ボタン５０４の種類に応じて追体験できる生体情報が異なり、課金される金額が異なるように設定される。一例として、「体験Ａ」を押した場合は、心拍鼓動体験付であり、課金は￥１００である。「体験Ｂ」を押した場合は、熱気体験付であり、課金は￥２００である。また、「体験Ｃ」を押した場合は、全ての生体情報を追体験することができ、課金は￥５００である。この場合も、追体験開始前に、「ＨＭＤを頭部、ヘッドホン、胸に振動発生器を装着してください」といったアナウンス５８０が表示される。また、図７に示す例では、再生ボタン５０６として、動画再生ボタン５０６ａと音声再生ボタン５０６ｂが表示される。動画再生ボタン５０６ａを押した場合は動画のみが再生され、生体情報による追体験は行われない。また、動画再生ボタン５０６ｂを押した場合は音声のみが再生され、生体情報による追体験は行われない。
【００４７】
図８は、追体験方法提示部２２４による追体験法提示(インストラクション)の例を示す模式図である。図８に示すように、追体験装置３００再生機器の種類に応じて、再生信号が規定されるとともに、各再生機器の装着位置が規定されている。追体験方法提示部２２４は、再生機器に応じて、各再生機器の装着位置を含む使用法を提示する。
【００４８】
以上説明したように本実施形態によれば、生体情報を追体験させることで、感情やバイタルもコンテンツとして体感できる。これにより、生体情報取得対象者（例えば、子ども）の体験を生体情報追体験者（例えば、子どもの親）が感じ取れるようになる。また、ソーシャルネットワークサービスを介して生体情報を配信することで、遠隔地にいる生体情報追体験者も感情を共感することができ、情報記録時の生体情報取得者の体験をよりリアルに追体験できる。
【００４９】
なお、本実施形態では、生体情報付きコンテンツを、ソーシャルネットワーク等を用いて他のユーザと共有する例を示したが、本実施形態はこれに限定されるものではない。例えば、バーチャルリアリティーを使ったストリーミング（ＶＲストリーミング）等によるコンテンツ配信において、生体情報をコンテンツとともに配信することも可能である。
【００５０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５２】
なお、以下のような構成も本開示の技術的範囲に属する。
（１）  少なくとも１つの生体情報が関連づけられているコンテンツを再生させるユーザの操作を促す表示を表示部において表示させる表示制御部と、
前記ユーザの操作に応じて、前記生体情報と前記コンテンツを格納する記憶部から取得して、前記生体情報及び前記コンテンツを再生させる再生制御部と  、
を備える、情報処理装置。
（２）  前記生体情報と関連付けられる前記コンテンツは、ソーシャルネットワークサービスで管理される管理部から取得される、請求項１に記載の情報処理装置。
（３）  前記表示制御部は、前記ソーシャルネットワークサービスで、前記ユーザの操作を促す表示を表示部において表示させる、前記（２）に記載の情報処理装置。
（４）  前記表示制御部は、前記コンテンツに複数の生体情報が関連付けられているときは、前記生体情報の数に応じた複数の前記ユーザの操作を促す表示を前記表示部に表示させる、前記（１）〜（３）のいずれかに記載の情報処理装置。
（５）  前記表示制御部は、前記生体情報が関連付けられている前記コンテンツのみを再生するための前記ユーザの操作を促す表示を、前記表示部に表示させる、前記（１）〜（４）のいずれかに記載の情報処理装置。
（６）  前記生体情報とコンテンツ情報とから生体情報付きの前記コンテンツを生成する生体情報付きコンテンツ生成部を備える、前記（１）〜（５のいずれかに記載の情報処理装置。
（７）  前記コンテンツ情報は、画像情報、音声情報、及び行動情報の少なくともいずれかを含む、前記（６）に記載の情報処理装置。
（８）  前記生体情報を生体情報取得対象者から検出する検出装置から、前記生体情報を取得する生体情報取得部を備える、前記（１）〜（７）のいずれかに記載の情報処理装置。
（９）  前記コンテンツ情報を取得するコンテンツ情報取得部と、
前記生体情報と前記コンテンツ情報を時間的に同期させる同期処理部を備える、前記（６）に記載の情報処理装置。
（１０）  前記再生制御部は、前記生体情報に基づく体験のための動作を行う体験装置に前記コンテンツを再生させる、前記（１）〜（９）のいずれかに記載の情報処理装置。
（１１）  前記ユーザの操作は、少なくとも、前記表示制御部に表示される画像への操作、前記ユーザの音声による操作、前記ユーザのジェスチャーによる操作のいずれか１つである、前記（１）〜（１０）のいずれかに記載の情報処理装置。
（１２）  前記体験装置が有する複数の再生機器のうち、体験のために使用する前記再生機器を選択する再生機器選択部と、
選択された前記再生機器に基づいて体験方法を決定する体験方法決定部と、
を備える、前記（１０）に記載の情報処理装置。
（１３）  少なくとも前記再生機器の使用方法又は前記再生機器の装着位置を含む前記体験方法を提示する体験方法提示部を備える、前記（１２）に記載の情報処理装置。
（１４）  前記体験方法決定部は、前記生体情報に基づく体験を行う生体情報体験者からの指示に基づいて前記体験方法を決定する、前記（１２）に記載の情報処理装置。
（１５）  前記検出装置は、心拍センサ、血圧センサ、発汗センサ及び体温センサの少なくとも１つを含む、前記（８）に記載の情報処理装置。
（１６）  前記再生機器は、ヘッドマウントディスプレイ、スピーカ、振動発生器、触覚デバイス、加湿器、発熱装置、匂いガス発生器及び加圧装置の少なくとも１つを含む、前記（１２）に記載の情報処理装置。
（１７）  少なくとも１つの生体情報が関連づけられているコンテンツを再生させるユーザの操作を促す表示を表示部において表示させることと、
前記ユーザの操作に応じて、前記生体情報と前記コンテンツを格納する記憶部から取得して、前記生体情報及び前記コンテンツを再生させることと  、
（１８）  少なくとも１つの生体情報が関連づけられているコンテンツを再生させるユーザの操作を促す表示を表示部において表示させる手段、
前記ユーザの操作に応じて、前記生体情報と前記コンテンツを格納する記憶部から取得して、前記生体情報及び前記コンテンツを再生させる手段、
としてコンピュータを機能させるためのプログラム。
【符号の説明】
【００５３】
１００    記録装置
１０２    心拍センサ
１０４    血圧センサ
１０６    発汗センサ
１０８    体温センサ
２００    サーバ
２０２    生体情報取得部
２０６    コンテンツ情報取得部
２１０    同期処理部
２１２    生体情報付きコンテンツ生成部
２２０    再生機器選択部
２２２    追体験方法決定部
２２４    追体験方法提示部
２２６    追体験配信部
２２８，２３０    データベース
２４０    ソーシャルネットワークサービス部
２４２    ＳＮＳ管理部
２４４    ＳＮＳ−ＵＩ部
３００    追体験装置
３０２    ＨＭＤ
３０４    スピーカ
３０６    振動発生器
３０８    触覚デバイス
３１０    加湿器
３１２    発熱装置
【図１】
2017211862.tif 000003
【図２】
2017211862.tif 000004
【図３】
2017211862.tif 000005
【図４】
2017211862.tif 000006
【図５】
2017211862.tif 000007
【図６】
2017211862.tif 000008
【図７】
2017211862.tif 000009
【図８】
2017211862.tif 000010